【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
第１部分及び第２部分を持つライトガイドを有し、
前記第１部分は、第１の入射輝度を持つ第１の光で照らされるように構成され、
前記第２部分は、前記第１の入射輝度とは異なる第２の入射輝度を持つ第２の光で照らされるように構成され、
前記第１部分は、前記ライトガイドから前記第１の光のうち第１の割合を取り出して、第１の出射輝度を持つ第１の出射光を形成するように構成され、
前記第２部分は、前記ライトガイドから前記第２の光のうち第２の割合を取り出して、第２の出射輝度を持つ第２の出射光を形成するように構成され、
前記第１の入射輝度に対する前記第２の入射輝度の比よりも、前記第１の出射輝度に対する前記第２の出射輝度の比の方が１に近い、
照明システム。
【請求項２】
前記第２の出射輝度は前記第１の出射輝度に実質的に等しい、請求項１に記載の照明システム。
【請求項３】
前記第１の光は、動作時に、第１の動作輝度を持ち、
前記第２の光は、動作時に、前記第１の動作輝度に概して等しい第２の動作輝度を持つ、
請求項１に記載の照明システム。
【請求項４】
前記ライトガイドの前記第１部分は、前記第１の光のうち前記第１の割合を取り出すように構成された第１の密度の光取り出しフィーチャを有し、
前記ライトガイドの前記第２部分は、前記第２の光のうち前記第２の割合を取り出すように構成された第２の密度の光取り出しフィーチャを有し、該第２の密度は前記第１の密度とは異なる、
請求項１に記載の照明システム。
【請求項５】
前記光取り出しフィーチャは全て実質的に同じ大きさ及び形状である、請求項４に記載の照明システム。
【請求項６】
前記第１の光を生成するように構成された第１グループの発光ダイオードと、
前記第２の光を生成するように構成された第２グループの発光ダイオードと、
を更に有する請求項１に記載の照明システム。
【請求項７】
当該照明システムは更に線形ドライバを有し、該線形ドライバは、
前記第１グループの発光ダイオードに、第１のデューティサイクルを持つ第１の電気信号で電力供給し、且つ
前記第２グループの発光ダイオードに、第２のデューティサイクルを持つ第２の電気信号で電力供給する、
ように構成され、前記第２のデューティサイクルは前記第１のデューティサイクルとは異なる、
請求項６に記載の照明システム。
【請求項８】
前記線形ドライバは、
前記第１の電気信号を生成するように構成された第１のタップ点、及び
前記第２の電気信号を生成するように構成された第２のタップ点
を含む、請求項７に記載の照明システム。
【請求項９】
当該照明システムは更にドライバ回路を有し、該ドライバ回路は、
交流電流をフルブリッジ整流器に導き入れて、周期的な波形を生成し、且つ
前記周期的な波形を前記線形ドライバに導き入れる、
ように構成される、請求項７に記載の照明システム。
【請求項１０】
前記ライトガイドは概して平面状且つ円形であり、
前記第１グループの発光ダイオードは、前記ライトガイドの周縁エッジの周りに配置され、
前記第１グループの発光ダイオードは、前記第１の光を前記ライトガイドの前記第１部分内に向けるように配置され、
前記第１グループの発光ダイオードは、前記第１の光を前記ライトガイドの前記第１部分内で概して前記ライトガイドの中心に向けて伝播させるように配置され、
前記第２グループの発光ダイオードは、前記ライトガイドの前記周縁エッジの周りに配置され、
前記第２グループの発光ダイオードは、前記第２の光を前記ライトガイドの前記第２部分内に向けるように配置され、
前記第２グループの発光ダイオードは、前記第２の光を前記ライトガイドの前記第２部分内で概して前記ライトガイドの前記中心に向けて伝播させるように配置される、
請求項６に記載の照明システム。
【請求項１１】
前記ライトガイドの前記第１部分は、前記ライトガイドの前記中心から前記ライトガイドの前記周縁エッジの周りの第１周縁部へと延在しており、
前記ライトガイドの前記第２部分は、前記ライトガイドの前記中心から前記ライトガイドの前記周縁エッジの周りの第２周縁部へと延在している、
請求項１０に記載の照明システム。
【請求項１２】
前記ライトガイドは、第３部分及び第４部分を有し、
前記第３部分は、前記第１の入射輝度及び前記第２の入射輝度とは異なる第３の入射輝度を持つ第３の光で照らされるように構成され、
前記第４部分は、前記第１の入射輝度、前記第２の入射輝度及び前記第３の入射輝度とは異なる第４の入射輝度を持つ第４の光で照らされるように構成され、
前記第３部分は、前記ライトガイドから前記第３の光のうち第３の割合を取り出して、第３の出射輝度を持つ第３の出射光を形成するように構成され、
前記第４部分は、前記ライトガイドから前記第４の光のうち第４の割合を取り出して、第４の出射輝度を持つ第４の出射光を形成するように構成される、
請求項１に記載の照明システム。
【請求項１３】
前記第１の入射輝度に対する前記第４の入射輝度の比よりも、前記第１の出射輝度に対する前記第４の出射輝度の比の方が１に近く、
前記第２の入射輝度に対する前記第４の入射輝度の比よりも、前記第２の出射輝度に対する前記第４の出射輝度の比の方が１に近く、
前記第３の入射輝度に対する前記第４の入射輝度の比よりも、前記第３の出射輝度に対する前記第４の出射輝度の比の方が１に近く、
前記第２の入射輝度に対する前記第３の入射輝度の比よりも、前記第２の出射輝度に対する前記第３の出射輝度の比の方が１に近く、且つ
前記第１の入射輝度に対する前記第３の入射輝度の比よりも、前記第１の出射輝度に対する前記第３の出射輝度の比の方が１に近い、
請求項１２に記載の照明システム。
【請求項１４】
第１部分及び第２部分を持つライトガイドを有し、
前記第１部分は、第１のデューティサイクル及び第１の入射輝度を持つ第１の光で照らされるように構成され、
前記第２部分は、前記第１のデューティサイクルとは異なる第２のデューティサイクルを持ち且つ第２の入射輝度を持つ第２の光で照らされるように構成され、
前記ライトガイドの前記第１部分は、前記第１の光のうち第１の部分を取り出して、第１の出射輝度を持つ第１の出力光を形成するように構成された、第１の密度の光取り出しフィーチャを有し、
前記ライトガイドの前記第２部分は、前記第２の光のうち第２の部分を取り出して、第２の出射輝度を持つ第２の出力光を形成するように構成された、第２の密度の光取り出しフィーチャを有し、
前記第１の入射輝度に対する前記第２の入射輝度の比よりも、前記第１の出射輝度に対する前記第２の出射輝度の比の方が１に近い、
照明システム。
【請求項１５】
前記第２の出射輝度は前記第１の出射輝度に実質的に等しい、請求項１４に記載の照明システム。
【請求項１６】
前記第１の光は、動作時に、第１の動作輝度を持ち、
前記第２の光は、動作時に、前記第１の動作輝度に概して等しい第２の動作輝度を持つ、
請求項１４に記載の照明システム。
【請求項１７】
前記第１の光を生成するように構成された第１グループの発光ダイオードと、
前記第２の光を生成するように構成された第２グループの発光ダイオードと、
を更に有する請求項１４に記載の照明システム。
【請求項１８】
当該照明システムは更に線形ドライバを有し、
前記線形ドライバは、第１のデューティサイクルを持つ第１の電気信号を生成するように構成された第１のタップ点を含み、
前記線形ドライバは、前記第１グループの発光ダイオードに前記第１の電気信号で電力供給するように構成され、
前記線形ドライバは、前記第１のデューティサイクルとは異なる第２のデューティサイクルを持つ第２の電気信号を生成するように構成された第２のタップ点を含み、
前記線形ドライバは、前記第２グループの発光ダイオードに前記第２の電気信号で電力供給するように構成される、
請求項１７に記載の照明システム。
【請求項１９】
当該照明システムは更にドライバ回路を有し、該ドライバ回路は、
交流電流をフルブリッジ整流器に導き入れて、周期的な波形を生成し、且つ
前記周期的な波形を前記線形ドライバに導き入れる、
ように構成される、請求項１８に記載の照明システム。
【請求項２０】
交流電流をフルブリッジ整流器に導き入れて周期的な波形を生成するように構成されたドライバ回路と、
前記周期的な信号を受信するように構成された線形ドライバであり、
当該線形ドライバは、第１のデューティサイクルを持つ第１の電気信号を生成するように構成された第１のタップ点を含み、
当該線形ドライバは、前記第１のデューティサイクルとは異なる第２のデューティサイクルを持つ第２の電気信号を生成するように構成された第２のタップ点を含む、
線形ドライバと、
前記第１の電気信号から電力供給されて第１の光を生成するように構成された第１グループの発光ダイオードと、
前記第２の電気信号から電力供給されて第２の光を生成するように構成された第２グループの発光ダイオードと、
前記第１の光で照らされるように構成された第１部分、及び前記第２の光で照らされるように構成された第２部分を有するライトガイドと、
を有し、
前記ライトガイドの前記第１部分は、前記第１の光のうち第１の割合を取り出すように構成された第１の密度の光取り出しフィーチャを有し、
前記ライトガイドの前記第２部分は、前記第２の光のうち第２の割合を取り出すように構成された第２の密度の光取り出しフィーチャを有し、
前記第２の密度は前記第１の密度とは異なる、
照明器具。